(57)【要約】【課題】外観上の体裁が良く、構成簡素で、量産に適し、経済的で、耐久性に優れ、取扱いが簡単で、使い勝手に優れ、ワンタッチ操作でスムーズに且つ安定的に装着でき、取外しも簡単且つスムーズに行え、摺動挟持片がスムーズに且つ安定的に摺動でき、枠材の略水平状態をストッパーによって確実に且つ安定的に維持でき、その不使用時には、枠材を揺動させて、屑入れ本体を小型コンパクトにできる着脱式簡易屑入れを提供する。【解決手段】取付部Ａ１により天板Ｃに装着でき、袋支持部Ａ２に屑入れ袋Ｂが装着できる屑入れであって、取付部Ａ１は、取付基材１と連結基材２と摺動挟持片３と一対の弾発スプリング４とを備え、弾発スプリング４により摺動挟持片３と挟持部１ｂで天板Ｃ等を挟圧するよう形成し、袋支持部Ａ２は、枠材１０を連結基材２に揺動自在に装着して構成し、連結基材２のストッパー８で枠材１０の水平状態を維持するよう構成する。【選択図】図１
0003121670.tif 000002
【実用新案登録請求の範囲】
【請求項１】
屑入れ本体の取付部によってテーブルや机の天板等の縁部を上下から挟圧することで、天板等に着脱自在に装着できるよう形成され、且つ屑入れ本体の袋支持部にショッピング袋等を利用した屑入れ袋が着脱自在に装着できるよう形成された着脱式簡易屑入れであって、前記取付部は、一対の平行なガイド脚部の上端に、天板等の上面に配される挟持部を略直角状に連設してなる取付基材と、一対のガイド脚部夫々の下端に跨るように固着される連結基材と、一対のガイド脚部に摺動自在に装着される摺動挟持片と、一対のガイド脚部夫々に巻装されると共に、連結基材と摺動挟持片との間に縮装される一対の弾発スプリングとを少なくとも備え、摺動挟持片が弾発スプリングによって挟持部がわに常時弾発的に摺動することにより、摺動挟持片と挟持部で天板等を挟圧できるように形成され、前記袋支持部は、適宜枠状に形成される枠材を、連結基材に揺動自在に装着して構成され、枠材は、連結基材に設けたストッパーにより略水平状態を維持できるように構成したことを特徴とする着脱式簡易屑入れ。
【請求項２】
前記取付基材は、適宜金属製の棒状材料によって形成され、挟持部は、棒状材料を略コ字形状或いは略Ｕ字形状或いは略Ｖ字形状或いは略Ｍ字形状に折曲して形成され、一対のガイド脚部は、棒状材料を挟持部の左右端部から夫々下方に直角に折曲して形成され、一対のガイド脚部の上部には、これに跨るよう補強連結部材が固定され、挟持部には適宜樹脂製或いはゴム製等の被覆材が全体的に或いは部分的に被覆されるように構成したことを特徴とする請求項１記載の着脱式簡易屑入れ。
【請求項３】
前記枠材は、全体略リップ溝形状を呈し、その両端部分が略クランク状に夫々形成されると共に、その両端部分先端が連結基材の左右端部に穿設した差込穴に差込み装着され、取付部上部を越えることができるように揺動自在に形成され、ストッパーによって、枠材が挟持部の下方で水平に配置されている状態と、枠材が挟持部の下方から離れて水平に配置されている状態とを夫々維持できるように形成し、枠材の適宜位置に適数の滑り止めパイプを巻装したことを特徴とする請求項１または請求請２記載の着脱式簡易屑入れ。
【考案の詳細な説明】
【技術分野】
【０００１】
本考案は、主に、テーブルや机の天板等の縁部にワンタッチで装着できると共に、コンビニやスーパー等の販売店で提供されるショッピング袋等を屑入れ袋として利用でき、この屑入れ袋内に使用済みティッシュペーパー等の比較的小さなゴミ等をスムーズに入れられるように工夫した着脱式簡易屑入れに関するものである。
【背景技術】
【０００２】
従来、この種の着脱式簡易屑入れとしては種々のものが提案されており、例えば、特許文献１のような卓上ゴミ袋取付装置が開示されている。
これは、ゴミ袋を入口が開いた状態に装着する枠機構と、前記ゴミ袋の入口を上方に向けるとともに卓の下側に部分的に潜り込ませた状態で前記枠機構を卓の縁に固定する固定手段とを具備するものである。
【０００３】
【特許文献１】特開２０００−３０９４０２
【考案の開示】
【考案が解決しようとする課題】
【０００４】
しかしながら、前述のような卓上ゴミ袋取付装置にあっては、枠機構を卓の下側に部分的に潜り込ませた状態で卓の縁に固定するため、枠機構が卓と略同じ高さに位置するようになると共に、枠機構が卓の側方に大きく突出した状態となり、外観上の体裁があまり良くない難点や、枠機構自体が邪魔となる難点等があった。
更に、枠機構の左右に固定手段が夫々独立した状態で設けられているため、卓上ゴミ袋取付装置の卓の縁への取付け、取外しがスムーズに行い難い難点があった。
しかも、その不使用時にあっては、小型コンパクトとならない難点等もあった。
そこで、本考案は、前述の如き難点等を解消できるようにすると共に、装着状態が安定的となり、構成が比較的簡素で、量産に適し、経済的で、耐久性に優れ、取扱いが簡単で、使い勝手の優れた着脱式簡易屑入れを提供すべく案出されたものである。
【課題を解決するための手段】
【０００５】
しかして、前述の如き課題を達成すべく、請求項１記載の着脱式簡易屑入れにあっては、屑入れ本体Ａの取付部Ａ１によってテーブルや机の天板Ｃ等の縁部を上下から挟圧することで、天板Ｃ等に着脱自在に装着できるよう形成され、且つ屑入れ本体Ａの袋支持部Ａ２にショッピング袋等を利用した屑入れ袋Ｂが着脱自在に装着できるよう形成された着脱式簡易屑入れであって、前記取付部Ａ１は、一対の平行なガイド脚部１ａの上端に、天板Ｃ等の上面に配される挟持部１ｂを略直角状に連設してなる取付基材１と、一対のガイド脚部１ａ夫々の下端に跨るように固着される連結基材２と、一対のガイド脚部１ａに摺動自在に装着される摺動挟持片３と、一対のガイド脚部１ａ夫々に巻装されると共に、連結基材２と摺動挟持片３との間に縮装される一対の弾発スプリング４とを少なくとも備え、摺動挟持片３が弾発スプリング４によって挟持部１ｂがわに常時弾発的に摺動することにより、摺動挟持片３と挟持部１ｂで天板Ｃ等を挟圧できるように形成され、前記袋支持部Ａ２は、適宜枠状に形成される枠材１０を、連結基材２に揺動自在に装着して構成され、枠材１０は、連結基材２に設けたストッパー８により略水平状態を維持できるように構成する手段を採用した。
【０００６】
また、請求項２記載の着脱式簡易屑入れにあっては、前記取付基材１は、適宜金属製の棒状材料によって形成され、挟持部１ｂは、棒状材料を略コ字形状或いは略Ｕ字形状或いは略Ｖ字形状或いは略Ｍ字形状に折曲して形成され、一対のガイド脚部１ａは、棒状材料を挟持部１ｂの左右端部から夫々下方に直角に折曲して形成され、一対のガイド脚部１ａの上部には、これに跨るよう補強連結部材５が固定され、挟持部１ｂには適宜樹脂製或いはゴム製等の被覆材７が全体的に或いは部分的に被覆されるように構成する手段を採用した。
【０００７】
更に、請求項３記載の着脱式簡易屑入れにあっては、前記枠材１０は、全体略リップ溝形状を呈し、その両端部分が略クランク状に夫々形成されると共に、その両端部分先端が連結基材２の左右端部に穿設した差込穴６に差込み装着され、取付部Ａ１上部を越えることができるように揺動自在に形成され、ストッパー８によって、枠材１０が挟持部１ｂの下方で水平に配置されている状態と、枠材１０が挟持部１ｂの下方から離れて水平に配置されている状態とを夫々維持できるように形成し、枠材１０の適宜位置に適数の滑り止めパイプ１１を巻装する手段を採用した。
【考案の効果】
【０００８】
従って、本考案の請求項１記載の着脱式簡易屑入れによれば、袋支持部Ａ２は、取付部Ａ１の取付基材１より低い位置（例えば、ガイド脚部１ａの長さ分）に配されるため、テーブルや机の天板Ｃより低い位置に屑入れ袋Ｂが隠れるようになり、外観上の体裁が良い着脱式簡易屑入れとなる。しかも、構成が比較的簡素で、量産に適し、経済的となり、耐久性に優れ、取扱いが簡単で、使い勝手の優れた着脱式簡易屑入れとなる。
【０００９】
特に、取付部Ａ１は、一対の平行なガイド脚部１ａの上端に、天板Ｃ等の上面に配される挟持部１ｂを略直角状に連設してなる取付基材１と、一対のガイド脚部１ａ夫々の下端に跨るように固着される連結基材２と、一対のガイド脚部１ａに摺動自在に装着される摺動挟持片３と、一対のガイド脚部１ａ夫々に巻装されると共に、連結基材２と摺動挟持片３との間に縮装される一対の弾発スプリング４とを少なくとも備え、摺動挟持片３が弾発スプリング４によって挟持部１ｂがわに常時弾発的に摺動することにより、摺動挟持片３と挟持部１ｂで天板Ｃ等を挟圧できるように形成されているので、手指（片手）によって摺動挟持片３を弾発スプリング４の弾発力に抗して連結基材２に接近させておき、取付基材１と摺動挟持片３の間に天板Ｃの縁部が収まったときに、弾発スプリング４の弾発力を開放するだけのワンタッチ操作で、着脱式簡易屑入れを天板Ｃの任意の縁部にスムーズに且つ安定的に装着できるようになる。しかも、その取外しも簡単且つスムーズに行えるようになる。
加えて、摺動挟持片３が一対のガイド脚部１ａに対してスムーズに且つ安定的に摺動できるようになる。
【００１０】
更に、枠材１０は、連結基材２に設けたストッパー８により略水平状態を維持できるように構成したので、ある程度のゴミの重さが枠材１０にかかっても、枠材１０の略水平状態をストッパー８によって確実に且つ安定的に維持できるようになる。
しかも、袋支持部Ａ２は、適宜枠状に形成される枠材１０を、連結基材２に揺動自在に装着して構成されるので、その不使用時にあっては、枠材１０を揺動させて、屑入れ本体Ａを小型コンパクトにすることができるようになる。
【００１１】
また、請求項２記載の着脱式簡易屑入れによれば、取付基材１の構成が簡素となると共に、軽量となり、更に、取付部Ａ１自体がより堅牢で強固なものとなる。ひいては、取付部Ａ１の耐久性が増すようになると共に、摺動挟持片３が一対のガイド脚部１ａに対してよりスムーズに且つ安定的に摺動できるようになる。
【００１２】
特に、挟持部１ｂには適宜樹脂製或いはゴム製等の被覆材７が全体的に或いは部分的に被覆されるように構成したので、被覆材７が滑り止めとなって屑入れ本体Ａ自体の装着安定性が増すようになると共に、挟持部１ｂの接触による天板Ｃ表面の損傷を確実に防止できるようになる。
【００１３】
更に、請求項３記載の着脱式簡易屑入れによれば、袋支持部Ａ２及び屑入れ袋Ｂが邪魔にならないように、枠材１０を挟持部１ｂの下方で水平に配置されている状態（天板Ｃの下方に屑入れ袋Ｂが隠れている状態）にしたり、或いは、枠材１０を挟持部１ｂの下方から離れて水平に配置されている状態（天板Ｃの縁部の外方がわに屑入れ袋Ｂが配置されている状態）にすることが簡単に行えるようになる。加えて、枠材１０を挟持部１ｂの下方で水平に配置されている状態（天板Ｃの下方に屑入れ袋Ｂが隠れている状態）にあっても、ガイド脚部１ａにより袋支持部Ａ２と天板Ｃ裏面との間に十分なゴミ投入空間が設けられるようになっている。
しかも、枠材１０自体や、枠材１０を水平状態に維持するための構成が簡素となると共に、これらを軽量に形成できるようになる。
【００１４】
そして枠材１０の適宜位置に適数の滑り止めパイプ１１を巻装したので、屑入れ袋Ｂの袋支持部Ａ２への装着状態に於いて、僅かな力で屑入れ袋Ｂが簡単に脱落しないようになる。
【考案を実施するための最良の形態】
【００１５】
以下、本考案を図示例に基づいて説明すると、次の通りである。
本考案は、テーブルや机の天板Ｃ等（水平に張り出している棚状のものも含まれる）の縁部にワンタッチで装着できて、しかも、コンビニやスーパー等の販売店で提供されるショッピング袋（例えば、提げ手付きの樹脂製袋や提げ手無しの樹脂製袋）等（或いは、紙製袋でも良い）を屑入れ袋Ｂとして利用でき、この屑入れ袋Ｂ内に使用済みティッシュペーパーや消しゴムカス等の比較的小さく軽量なゴミ等をスムーズに入れられるようにした着脱式簡易屑入れである。
すなわち、屑入れ本体Ａの取付部Ａ１によって天板Ｃ等の縁部を上下から挟圧することで、天板Ｃ等に着脱自在に装着できるよう形成され、且つ屑入れ本体Ａの袋支持部Ａ２にショッピング袋等を利用した屑入れ袋Ｂが着脱自在に装着できるよう形成されている。
そして、前記取付部Ａ１は、一対の平行なガイド脚部１ａの上端に、天板Ｃ等の上面に配される挟持部１ｂを略直角状に連設してなる取付基材１と、一対のガイド脚部１ａ夫々の下端に跨るように固着される連結基材２と、一対のガイド脚部１ａに摺動自在に装着される摺動挟持片３と、一対のガイド脚部１ａ夫々に巻装されると共に、連結基材２と摺動挟持片３との間に縮装される一対の弾発スプリング４とを少なくとも備え、摺動挟持片３が弾発スプリング４によって挟持部１ｂがわに常時弾発的に摺動することにより、摺動挟持片３と挟持部１ｂで天板Ｃ等を挟圧できるように形成されている。
更に、前記袋支持部Ａ２は、適宜枠状に形成される枠材１０を、連結基材２に揺動自在に装着して構成され、枠材１０は、連結基材２に設けたストッパー８により略水平状態を維持できるように構成されている。
【実施例】
【００１６】
前記屑入れ本体Ａの取付部Ａ１は、例えば、図１に示すように取付基材１と、連結基材２と、摺動挟持片３と、弾発スプリング４と、補強連結部材５とで構成されたものと、図２、図３に示すように取付基材１と、連結基材２と、摺動挟持片３と、弾発スプリング４とで構成されたものとがある。
【００１７】
そして、前記取付基材１は、例えば、比較的強度が高く軽量となる適宜金属製の棒状材料（例えば、丸棒、或いはパイプ材でも良い）によって形成され、この棒状材料を平面略コ字形状（或いは、略Ｕ字形状や、略Ｖ字形状や、略Ｍ字形状や、その他の形状でも良い。）に折曲して形成される挟持部１ｂと、棒状材料を挟持部１ｂの左右端部から夫々下方に直角に折曲して形成される一対の平行なガイド脚部１ａとからなっている。
尚、取付基材１は、適宜金属製の棒状材料によって形成されたものでなくても良く、例えば、挟持部１ｂを、合成樹脂製（或いは、金属製）のプレート状に形成し、これに一対の平行な金属製（或いは、合成樹脂製）のガイド脚部１ａの上端部分を固着（或いは、一体的に連設）するようにして構成したものであっても良いし、その他適宜自由に設定変更できるものである。
【００１８】
前記連結基材２は、例えば、適宜合成樹脂製（或いは、金属製）で、一対のガイド脚部１ａの間隔より若干長い略角棒状に形成されており、一対のガイド脚部１ａの下端部分に跨るように固着されている。そして、この連結基材２の左右端面には枠材１０の両端部分が差込み装着される差込穴６が夫々穿設され、この差込穴６の下方にはストッパー８が突設されている。
尚、連結基材２とガイド脚部１ａの固着手段としては、例えば、連結基材２に設けた挿通孔に一対のガイド脚部１ａの下端部分を挿入し、ガイド脚部１ａの側面を止めネジの先端で圧止して固定する手段や、或いは、連結基材２とガイド脚部１ａを貫通ピンで貫通して固着する手段等が採用される。
【００１９】
前記摺動挟持片３は、例えば、適宜合成樹脂製（或いは、金属製）で、一対のガイド脚部１ａの間隔より若干長い幅を有する略矩形板状を呈しており、一対のガイド脚部１ａが摺動自在に挿通される一対の貫通孔が基端縁寄りに穿設されている。
尚、摺動挟持片３は、基端縁がわが厚く、先端縁がわに行くに従って漸次肉薄となるように形成して、軽量化を図ると共に、ガイド脚部１ａに対する摺動動作がよりスムーズに行えるようにしても良い。また、摺動挟持片３には、軽量化のための肉抜き処理を行っても良いし、枠状に形成しても良い。
【００２０】
前記弾発スプリング４は、例えば、一対のガイド脚部１ａ夫々に外装されるようなコイルスプリングが利用され、摺動挟持片３下面と連結基材２上面とにその両端部分が接触するように縮装されており、摺動挟持片３を挟持部１ｂに向かってバランス良く圧迫できるように構成されている。
【００２１】
前記補強連結部材５は、例えば、適宜金属製（或いは、合成樹脂製）で、一対のガイド脚部１ａの間隔より若干長い略溝形材状に形成されており、一対のガイド脚部１ａの上端部分に跨るように固着され、取付部Ａ１全体の強度、剛性等が増すように設けられている。尚、補強連結部材５の下面がわに、ガイド脚部１ａに外装される略円筒状のカラーを配して、補強連結部材５と摺動挟持片３との間に一定間隔の隙間（指を入れて摺動挟持片３を押し下げられるようにするためのもの）を設けるようにしても良い。
【００２２】
図中７は、例えば、適宜樹脂製或いはゴム製等の被覆材で、この被覆材７は、前記挟持部１ｂを全体的に或いは部分的に被覆されるように構成されて、天板Ｃ上面との間の摩擦力を高めて取付部Ａ１が僅かな外力等によってズレたりせず、また、天板Ｃ上面自体を傷つけたりすることがないように設けられている。
尚、被覆材７は、挟持部１ｂの構成に合わせてパイプ状のものを利用したり、或いは、シート状のものを利用したりすることができる。
【００２３】
前記ストッパー８は、例えば、前記連結基材２の左右端面の下端縁部分から左右側方に僅かに突出するようにして設けられたものである。
尚、ストッパー８は、連結基材２に一体的に設けたものであっても良いし、連結基材２と別体に形成し、これを連結基材２左右端部に固定したものであっても良い。すなわち、袋支持部Ａ２となる枠材１０を水平状態に維持できるようにすると共に、差込穴６を含む水平面を境としてその上方に於いて、枠材１０が自由に揺動できるように形成されたものであれば良い。
【００２４】
図中９は、例えば、摺動挟持片３（及び補強連結部材５）に設けた指掛け凹部で、この指掛け凹部９は、補強連結部材５と摺動挟持片３との間に指を入れ易くして、摺動挟持片３を押し下げ易くしたものである。
【００２５】
また、前記袋支持部Ａ２の枠材１０は、例えば、適宜金属製の棒状材料（例えば、丸棒、或いはパイプ材でも良い）によって、全体略リップ溝形状（或いは、略Ｃ字形状でも良い）に形成されており、その両端部分が略クランク状に夫々形成されると共に、その両端部分先端が連結基材２の左右端部に穿設した差込穴６に差込み装着されている。そして、枠材１０の差込穴６からの距離が、差込穴６から取付部Ａ１上端部分より長くなるように設定され、枠材１０が取付部Ａ１の上部を越えることができるように揺動自在に形成されている。
しかも、枠材１０は、ストッパー８によって、枠材１０が挟持部１ｂの下方で水平に配置されている状態と、枠材１０が挟持部１ｂの下方から離れて水平に配置されている状態とを夫々維持できるように形成されている。尚、ストッパー８には、枠材１０両端部分に形成した略クランク状の部分が当接して、下方への揺動を確実に阻止できるように形成されている。
ところで、枠材１０は、適宜合成樹脂材や適宜複合材等によって形成しても良いし、また、図示例以外の適宜自由な形状に形成することもできるものである。しかも、枠材１０を角張った形状にした場合は、屑入れ袋Ｂの装着状態がより安定し、枠材１０から屑入れ袋Ｂが脱落し難いものとなる。
【００２６】
図中１１は、例えば、適宜樹脂製或いはゴム製等の滑り止めパイプを示し、この滑り止めパイプ１１は、枠材１０の適宜位置に適数巻装されて、枠材１０と屑入れ袋Ｂと間の摩擦力を高めて、屑入れ袋Ｂが僅かな外力等によって脱落しないように設けられたものである。
尚、この滑り止めパイプ１１は、枠材１０を角形枠状とし、その角部に配置することにより、効率良く屑入れ袋Ｂの脱落を防止できるようにしても良いし、或いは、枠材１０を全体的に被覆するようにしたり、或いは、滑り止めパイプ１１を設けずに、枠材１０表面に摩擦力を高めるためのローレット処理やその他の適宜手段等を施すようにすることも可能である。
【００２７】
ところで、着脱式簡易屑入れの具体的構成、形状、寸法、材質、屑入れ本体Ａの具体的構成、形状、寸法、材質、取付部Ａ１の具体的構成、形状、寸法、材質、袋支持部Ａ２の具体的構成、形状、寸法、材質、取付基材１の具体的構成、形状、寸法、材質、ガイド脚部１ａの具体的構成、形状、寸法、材質、挟持部１ｂの具体的構成、形状、寸法、材質、連結基材２の具体的構成、形状、寸法、材質、取付基材１への固着手段、摺動挟持片３の具体的構成、形状、寸法、材質、弾発スプリング４の具体的構成、形状、寸法、材質、配設位置、数、補強連結部材５の具体的構成、形状、寸法、材質、配設位置、差込穴６の具体的構成、形状、寸法、配設位置、被覆材７の具体的構成、形状、寸法、材質、配設位置、ストッパー８の具体的構成、形状、寸法、材質、配設位置、数、指掛け凹部９の具体的構成、形状、寸法、配設位置、数、枠材１０の具体的構成、形状、寸法、材質、配設位置、滑り止めパイプ１１の具体的構成、形状、寸法、材質、配設位置、屑入れ袋Ｂの具体的構成、形状、寸法、材質等は図示例のもの等に限定されることなく適宜自由に設定、変更できるものである。
【図面の簡単な説明】
【００２８】
【図１】本考案の着脱式簡易屑入れを例示する斜視図である。
【図２】本考案の他の着脱式簡易屑入れの屑入れ本体を例示する斜視図である。
【図３】本考案の他の着脱式簡易屑入れを例示する一部切欠部分側面図である。
【符号の説明】
【００２９】
Ａ      屑入れ本体
Ａ１    取付部
Ａ２    袋支持部
１      取付基材
１ａ    ガイド脚部
１ｂ    挟持部
２      連結基材
３      摺動挟持片
４      弾発スプリング
５      補強連結部材
６      差込穴
７      被覆材
８      ストッパー
９      指掛け凹部
１０    枠材
１１    滑り止めパイプ
Ｂ      屑入れ袋
Ｃ      天板
【図１】
0003121670.tif 000003
【図２】
0003121670.tif 000004
【図３】
0003121670.tif 000005